(57)【特許請求の範囲】
【請求項１】
両端部にそれぞれ第１のネジ部が刻設される棒状体と、
前記第１のネジ部に螺合する第２のネジ部が刻設される可動部と、この可動部に対向するように前記両端部に固定される固定部と、からなる把持体と、を備え、
前記可動部及び前記固定部は、それぞれ前記棒状体の長手方向における中間位置を中心として互いに対称に配置され、
前記第１のネジ部同士は、互いに逆ネジであることを特徴とする縁線スペーサー。
【請求項２】
前記可動部は、前記第２のネジ部が刻設される貫通孔を備える第１の挟持部と、この第１の挟持部に対向する第２の挟持部と、前記第１及び第２の挟持部を連結する連結部と、から形成され、
前記固定部は、前記両端部の少なくとも端面を含むように前記両端部と一体的に形成されることを特徴とする請求項１記載の縁線スペーサー。
【請求項３】
前記棒状体は、前記第１のネジ部同士の間に、一対の水切りツバが間隔を空けて備えられることを特徴とする請求項１又は請求項２記載の縁線スペーサー。
【請求項４】
前記棒状体は、前記第１のネジ部同士の間に、短手方向の断面が凹凸状に形成される保持部が設けられることを特徴とする請求項１乃至請求項３のいずれか１項に記載の縁線スペーサー。
【請求項５】
前記棒状体及び前記把持体は、絶縁材料で形成されることを特徴とする請求項１乃至請求項４のいずれか１項に記載の縁線スペーサー。
【発明の詳細な説明】
【技術分野】
【０００１】
本発明は、開閉器等から引き出される縁線同士の離隔を確保するための縁線スペーサーに係り、特に、一つの操作により並行する２本の縁線を同時に締緩可能な縁線スペーサーに関する。
【背景技術】
【０００２】
従来、電柱にアームを介して取り付けられる開閉器は比較的大型であったため、これから引き出される複数の並行する縁線同士が、強風等の場合に接近又は接触する可能性を考慮するには及ばなかった。
しかし、開閉器がコンパクト化されてきたため、異相間の離隔が不十分となり、強風等によって縁線同士や、縁線にそれぞれ接続されている高圧用カバー同士等が接近又は接触する可能性が出てきた。また、これは、開閉器の構造に起因するものであるため、縁線同士の間隔を拡大させるような改修は容易でない。
そこで、このような課題を解決する目的で、近年、縁線同士を離隔させた状態で保持する縁線スペーサーに関する技術が開発されており、それに関して既にいくつかの発明や考案が開示されている。
【０００３】
まず、特許文献１には、「送電線用仮スペーサ」という名称で、導体間隔の調整が可能な送電線用仮スペーサに関する考案が開示されている。
以下、特許文献１に開示された考案について説明する。特許文献１に開示された考案は、間隔部材の両端に導体クランプを取付けてなり、間隔部材がラチェットハンドルを備え両端に逆ネジ孔を穿設したネジ筒と、一端を各ネジ孔に螺入させ、他端をクランプに枢着させた一対のネジ軸と、から構成されたことを特徴とする。
このような特徴を有する送電線用仮スペーサによれば、ラチェットハンドルの操作で、間隔部材が伸縮自在に構成されているので、両クランプを容易に所定の間隔に調整できる。さらに、導体クランプによって、導体を締付け固定することが可能なため、強風等でも送電線用仮スペーサが導体から外れ難い。
【０００４】
次に、特許文献２には、「架設送配電線用相間スペーサ」という名称で、架設送配電線の間等を適切な相間距離に保持する架設送配電線用の相間スペーサに関する発明が開示されている。  特許文献２に開示された発明は、各架設送配電線を把持する一対の把持部と、把持部を連結支持する所定の長さを有する連結部と、を備え、各把持部は、各架設送配電線を保持可能な保持孔を形成する保持部を含む一対の腕部と、各腕部の一端を回動可能に支持する支軸と、各腕部の他端を互いに係止可能に支持する係止部と、を有し、保持部は、それぞれが各架設送配電線を挟持する挟持面を有する一対の挟持部材を備え、挟持面は、切りかぎ状に形成されていることを特徴とする。  このような特徴を有する架設送配電線用相間スペーサによれば、所定の相間距離を保ちながら２つの架設送配電線を保持することができる。また、軽量であることから、装着に危険な重労働を要せずに安全に装着することが可能になる。したがって、改修工事の作業性を向上させることができる。
【先行技術文献】
【特許文献】
【０００５】
【特許文献１】実願昭５７−４８９５７（実開昭５８−１５３５１２号）のマイクロフィルム
【特許文献２】特開２００７−１６６８５９号公報
【発明の概要】
【発明が解決しようとする課題】
【０００６】
しかしながら、特許文献１に開示された考案においては、一方のクランプで導体を挟持して締付け固定した後、他方のクランプで導体を同様に締付け固定する。すなわち、両クランプにそれぞれ挟持された導体を一つの操作で同時に締め付けたり、緩めたりすることができない。したがって、送電線用仮スペーサの着脱に手間取るおそれがある。
【０００７】
また、特許文献２に開示された発明においても、特許文献１と同様の課題を有するものと考えられる。
【０００８】
本発明は、このような従来の事情に対処してなされたものであり、コンパクト化される開閉器から引き出される２本の並行する縁線を、一つの操作で同時に締緩可能に構成することにより、これらの縁線に対し迅速に着脱することができる縁線スペーサーを提供することを目的とする。
【課題を解決するための手段】
【０００９】
上記目的を達成するため、第１の発明は、両端部にそれぞれ第１のネジ部が刻設される棒状体と、第１のネジ部に螺合する第２のネジ部が刻設される可動部と、この可動部に対向するように両端部に固定される固定部と、からなる把持体と、を備え、可動部及び固定部は、それぞれ棒状体の長手方向における中間位置を中心として互いに対称に配置され、第１のネジ部同士は、互いに逆ネジであることを特徴とする。
このような構成の発明においては、可動部と固定部の間に、例えば開閉器から引き出された縁線が把持される。可動部には第１のネジ部に螺合する第２のネジ部が刻設されるため、第１のネジ部が刻設される棒状体を、その中心軸を中心として回動させると、固定部は移動しないが、可動部が棒状体の長手方向に沿ってスライド移動する。
【００１０】
また、第１のネジ部同士は、互いに逆ネジであることから、棒状体を回動して第１のネジ部を一方向又はこの逆方向に回動させると、可動部同士が同時に接近又は離隔する。
さらに、可動部及び固定部は、それぞれ棒状体の長手方向における中間位置を中心として互いに対称に配置されることから、棒状体の回動する方向に従い、可動部と固定部の間隔は拡大又は短縮するので、それぞれ縁線の締め付け又は取り外しが行われる。なお、可動部同士の間隔と、固定部同士の間隔は、いずれが広くても良い。
【００１１】
次に、第２の発明は、第１の発明において、可動部は、第２のネジ部が刻設される貫通孔を備える第１の挟持部と、この第１の挟持部に対向する第２の挟持部と、第１及び第２の挟持部を連結する連結部と、から形成され、固定部は、両端部の少なくとも端面を含むように両端部と一体的に形成されることを特徴とする。
このような構成の発明においては、第１の発明の作用に加えて、両端部の端面と第２の挟持部の間に、例えば縁線が把持される。なお、具体的な可動部の形状としては、コ字形状やＣ字形状が考えられる。
【００１２】
さらに、第３の発明は、第１又は第２の発明において、棒状体は、第１のネジ部同士の間に、一対の水切りツバが間隔を空けて備えられることを特徴とする。
このような構成の発明においては、第１又は第２の発明の作用に加えて、把持体で縁線を把持している場合に、それぞれの縁線の表面を流下した雨水は把持体を伝って棒状体の両端部に達するものの、水切りツバを超えて棒状体の中間位置に向かって移動すること等が防止される。
【００１３】
さらに、第４の発明は、第１乃至第３のいずれかの発明において、棒状体は、第１のネジ部同士の間に、短手方向の断面が凹凸状に形成される保持部が設けられることを特徴とする。
このような構成の発明においては、第１乃至第３のいずれかの発明の作用に加えて、例えば、間接活線工具を使用して棒状体を回動させる場合に、短手方向の断面が凹凸状に形成される保持部によって、間接活線工具と保持部との摩擦力が増大する。
【００１４】
そして、第５の発明は、第１乃至第４のいずれかの発明において、棒状体及び把持体は、絶縁材料で形成されることを特徴とする。
このような構成の発明においては、第１乃至第４のいずれかの発明の作用に加えて、把持体によって把持された縁線同士の導通が防止される。
【発明の効果】
【００１５】
第１の発明によれば、棒状体を回動するという一つの操作により、例えば両端部の可動部と固定部の間に把持される縁線を、同時に締緩可能である。したがって、これらの縁線に対し縁線スペーサーを迅速に着脱することができる。このうち、縁線スペーサーが縁線に装着されている場合、縁線間の離隔を十分に確保することができる。
【００１６】
第２の発明によれば、第１の発明の効果に加えて、固定部は両端部と一体的に形成されるため、部品点数を実質的に少なくすることができる。
【００１７】
第３の発明によれば、第１又は第２の発明の効果に加えて、雨水が水切りツバを超えて棒状体を伝うことが防止されるため、縁線間の短絡を確実に防止することができる。
【００１８】
第４の発明によれば、第１乃至第３のいずれかの発明の効果に加えて、保持部によって、間接活線工具と保持部との摩擦力が増大するので、棒状体を回動する際の操作性を向上させることができる。
【００１９】
第５の発明によれば、第１乃至第４のいずれかの発明の効果に加えて、把持体によって把持された縁線同士の導通が防止されることから、縁線間の短絡を確実に防止することができる。
【図面の簡単な説明】
【００２０】
【図１】実施例に係る縁線スペーサーの側面図である。
【図２】図１におけるＡ線矢視図である。
【図３】図１におけるＢ−Ｂ矢視断面図である。
【図４】（ａ）及び（ｂ）は、いずれも実施例に係る縁線スペーサーの側面図であって、それぞれ把持体を構成する可動部同士を離隔させる場合及び接近させる場合を示したものである。
【図５】実施例に係る縁線スペーサーをその下方から視た場合の使用状態図である。
【図６】図５におけるＣ線矢視図である。
【発明を実施するための形態】
【実施例】
【００２１】
本発明の実施の形態に係る実施例の縁線スペーサーについて、図１乃至図６を用いて詳細に説明する。図１は、実施例に係る縁線スペーサーの側面図である。図２は、図１におけるＡ線矢視図である。
図１及び図２に示すように、本実施例に係る縁線スペーサー１は、両端部２，３にそれぞれ第１のネジ部１１ａ，１２ａが刻設される棒状体４と、第１のネジ部１１ａ，１２ａにそれぞれ螺合する第２のネジ部１１ｂ，１２ｂが刻設される可動部５，６と、この可動部５，６の一部（後述する第２の挟持部１６，１７）に対向するように両端部２，３に固定される固定部７，８と、からなる把持体９，１０と、を備える。
また、可動部５，６及び固定部７，８は、それぞれ棒状体４の長手方向Ｘにおける中間位置Ｄを中心として互いに対称に配置される。
さらに、第１のネジ部１１ａ，１２ａは、互いに逆ネジである。したがって、第２のネジ部１１ｂ，１２ｂも、互いに逆ネジである。なお、棒状体４及び把持体９，１０は、絶縁材料で形成される。
【００２２】
より詳細には、一方の可動部５は、第２のネジ部１１ｂが刻設される貫通孔１３ａを備える第１の挟持部１４と、この第１の挟持部１４に対向する第２の挟持部１６と、第１の挟持部１４及び第２の挟持部１６を連結する連結部１８と、から略コ字形状に形成される。
他方の可動部６も、第２のネジ部１２ｂが刻設される貫通孔１３ｂを備える第１の挟持部１５と、この第１の挟持部１５に対向する第２の挟持部１７と、第１の挟持部１５及び第２の挟持部１７を連結する連結部１９と、から略コ字形状に形成される。
【００２３】
また、固定部７，８は、それぞれ両端部２，３の端面２ａ，３ａと、この付近の両端部２，３の一部を含むように両端部２，３と一体的に形成される。このように、固定部７，８と両端部２，３との境界はそれぞれ明確ではない。
さらに、固定部７，８には、端面２ａ，３ａの中心に中心軸Ｅと平行に固定されるピン２３ａ，２３ｂを介して押え片２４，２５が取り付けられている。この押え片２４，２５は、それぞれピン２３ａ，２３ｂに対して回動可能、かつ、連結部１８，１９の側面１８ａ，１９ａ（図１参照）に対してそれぞれ長手方向Ｘに沿ってスライド可能である。これにより、両端部２，３が回動しても押え片２４，２５は回動しない構造となっている。
【００２４】
さらに、押え片２４，２５と第１の挟持部１４，１５の間に、それぞれストッパー２６，２７が備えられる。このストッパー２６，２７は、それぞれ第１のネジ部１１ａ，１２ａと螺合しない貫通孔２６ａ，２７ａを備え、一端２６ｂ，２７ｂ（図１参照）が第１の挟持部１４，１５へ当接した状態を保持しながら中心軸Ｅを中心に回動自在に構成される。したがって、後述する図４（ａ）に示すように、可動部５，６がそれぞれα１，α２方向へスライド移動する場合に、それぞれの他端２６ｃ，２７ｃ（図１参照）が押え片２４，２５に当接するようにストッパー２６，２７を回動させておくと、可動部５，６の過剰なスライド移動が抑制される。これにより、縁線５１ａ〜５１ｃ（図４乃至図６参照）を取り外す際に、棒状体４を必要以上に回動することが防止される。
そして、棒状体４は、第１のネジ部１１ａ，１２ａ同士の間に、一対の水切りツバ２０，２１が間隔を空けて備えられる。
【００２５】
次に、図３を用いて、棒状体４についてより詳細に説明する。図３は、図１におけるＢ−Ｂ矢視断面図である。なお、図１及び図２で示した構成要素については、図３においても同一の符号を付して、その説明を省略する。
図３に示すように、棒状体４は、第１のネジ部１１ａ，１２ａ（図１，２参照）同士の間に、短手方向（長手方向Ｘに直交する方向）の断面が凹凸状に形成される保持部２２が設けられる。この保持部２２は、例えば、ゴム材料等の絶縁材料から形成され、棒状体４の表面に接着されている。
【００２６】
続いて、縁線スペーサー１の作用について、図４を用いながらより詳細に説明する。図４（ａ）及び図４（ｂ）は、いずれも実施例に係る縁線スペーサーの側面図であって、それぞれ把持体を構成する可動部同士を離隔させる場合及び接近させる場合を示したものである。なお、図１乃至図３で示した構成要素については、図４においても同一の符号を付して、その説明を省略する。
図４（ａ）に示すように、第２の挟持部１６，１７と押え片２４，２５の間に、開閉器５０（図５参照）から引き出された縁線５１ａ，５１ｂがそれぞれ把持される。可動部５，６には第１のネジ部１１ａ，１２ａに螺合する第２のネジ部１１ｂ，１２ｂが刻設されるため、棒状体４を、間接活線工具（図示せず）等を用い、長手方向Ｘの中心軸Ｅを中心としてα方向へ回動させると、中間位置Ｄに対して固定部７，８は移動しないが、可動部５，６が棒状体４の長手方向Ｘに沿ってそれぞれスライド移動する。このとき、棒状体４には、保持部２２が備えられているので、間接活線工具と保持部２２との摩擦力が増大し、棒状体４の回動が効率的に可動部５，６のスライド運動へと変換される。
【００２７】
また、第１のネジ部１１ａ，１２ａ同士は、互いに逆ネジであることから、可動部５，６が移動する方向はそれぞれ逆方向のα１方向及びα２方向となる。さらに、可動部５，６、固定部７，８及び押え片２４，２５は、それぞれ棒状体４の長手方向Ｘにおける中間位置Ｄを中心として互いに対称に配置されることから、可動部５，６は、それぞれ同時に押え片２４，２５へ接近し、縁線５１ａ，５１ｂが第２の挟持部１６と押え片２４及び第２の挟持部１７と押え片２５によってそれぞれ把持される。すなわち、棒状体４の回動力が、第１のネジ部１１ａ，１２ａ及び第２のネジ部１１ｂ，１２ｂを介して可動部５，６に伝達され、縁線５１ａ，５１ｂの締め付け力となる。これにより、縁線５１ａ，５１ｂ同士が、棒状体４の長さ程度の間隔を空けた状態で保持される。
なお、縁線５１ａ，５１ｂを締め付ける場合に、予め縁線５１ａ，５１ｂのいずれかを間接活線工具（図示せず）で把持しておくと、棒状体４を回動させる際に、縁線５１ａ，５１ｂの動きが抑制されるため、作業性が低下することはない。
【００２８】
逆に、図４（ｂ）に示すように、棒状体４をβ方向へ回動させると、棒状体４をα方向へ回動させる場合と同様に、中間位置Ｄに対して固定部７，８は移動しないが、可動部５，６が棒状体４の長手方向Ｘに沿ってそれぞれスライド移動する。
このとき、可動部５，６が移動する方向はそれぞれ逆のβ１方向及びβ２方向となることから、可動部５，６は、それぞれ同時に押え片２４，２５から離隔し、縁線５１ａ，５１ｂの把持が解除される。すなわち、縁線スペーサー１による縁線５１ａ，５１ｂの取り外しが行われる。
【００２９】
次に、本実施例に係る縁線スペーサーの使用状態について、図５及び図６を用いながらより詳細に説明する。図５は、実施例に係る縁線スペーサーを上方から視た場合の使用状態図である。図６は、図５におけるＣ線矢視図である。なお、図１乃至図４で示した構成要素については、図５及び図６においても同一の符号を付して、その説明を省略する。
図５及び図６に示すように、三相交流電力を供給する電源側の縁線５１ａ〜５１ｃと、負荷側の縁線５３ａ〜５３ｃと、の間の電路を開閉する開閉器５０が、アーム５４を介して、電柱５２上に設置されている。縁線スペーサー１，１は、縁線５１ａ，５１ｂと、縁線５１ｂ，５１ｃの間に、図４（ａ）を用いて説明したように、それぞれ装着される。より詳細には、縁線スペーサー１，１は、高圧端子カバー５５ａ〜５５ｃと、開閉器５０との間の縁線５１ａ〜５１ｃにそれぞれ配置される。なお、開閉器５０は、その長辺Ｍ（図５参照）が約６０（ｃｍ）程度にコンパクト化されているため、縁線スペーサー１の長さＬ（図１参照）は約１５（ｃｍ）に設計される。
【００３０】
このような構成の縁線スペーサー１においては、縁線５１ａ，５１ｂと、縁線５１ｂ，５１ｃが、それぞれ１５ｃｍ程度離隔した状態で保持されることから、縁線５１ａ，５１ｂや高圧端子カバー５５ａ，５５ｂの接近や接触が防止される。さらに、縁線５１ｂ，５１ｃや高圧端子カバー５５ｂ，５５ｃの接近等が防止される。
また、雨天の場合においても、把持体９，１０で縁線５１ａ〜５１ｃを把持している場合に、それぞれの縁線５１ａ〜５１ｃの表面を流下した雨水は把持体９，１０を伝って棒状体４の両端部２，３に達するものの、水切りツバ２０，２１を超えて棒状体４の中間位置Ｄに向かって移動することや、逆に中間位置Ｄ付近の雨水が両端部２，３に移動することが防止される。
【００３１】
以上、説明したように、本実施例の縁線スペーサー１によれば、棒状体４を回動するという一つの操作により、図５及び図６に示したように、可動部５，６と固定部７，８の間にそれぞれ把持される縁線５１ａ，５１ｂを同時に締緩可能である。同様に、縁線５１ｂ，５１ｃも、もう一つの縁線スペーサー１によって同時に締緩可能である。したがって、縁線５１ａ〜５１ｃに対し、縁線スペーサー１，１を迅速に着脱することが可能となり、従来と比較して作業時間をおよそ半分に短縮することができる。
また、縁線スペーサー１，１を着脱する際には、保持部２２によって、棒状体４の回動が効率的に可動部５，６のスライド運動へと変換されるので、棒状体４を回動させる際の操作性が良好である。
さらに、縁線スペーサー１，１が縁線５１ａ〜５１ｃに装着されることで、縁線５１ａ，５１ｂ間と縁線５１ｂ，５１ｃ間の離隔をそれぞれ十分に確保することができるので、三相交流における異相間の短絡を防止可能である。よって、配電線事故の防止に有効であり、縁線同士の間隔を拡大させるような改修作業の頻度を減少させ得ることが期待できる。加えて、棒状体４，把持体９，１０及び保持部２２は絶縁材料で形成されるため、一層確実に異相間の短絡を防止することができる。加えて、雨水が水切りツバ２０，２１を超えて棒状体４の中間位置Ｄに向かって伝うことが防止されるので、天候に関わらず、上記の短絡防止の効果を発揮することができる。
【００３２】
また、縁線スペーサー１は、その長さＬが約１５ｃｍと小型であることから、コンパクト化された開閉器５０から引き出される縁線５１ａ〜５１ｃの間に、困難なく装着可能であると同時に、間接活線工具で保持部２２を把持する際のスペースを十分確保可能である。
さらに、固定部７，８は両端部２，３と一体的に形成されるため、部品点数を実質的に少なくすることができる。そのため、縁線スペーサー１の製造コストを抑制可能であるとともに軽量となる。そのため、後者の効果によれば、縁線５１ａ〜５１ｃに取り付けられている間に、縁線スペーサー１が自重によって次第にずり落ちるといったおそれが少ない。
【００３３】
なお、本発明の縁線スペーサー１の構造は実施例に示すものに限定されない。例えば、ストッパー２６，２７は、省略されても良い。また、第２のネジ部１１ｂ，１２ｂと第２のネジ部１１ｂ，１２ｂは、それぞれ雄ネジと雌ネジ、又は雌ネジと雄ネジのいずれの組み合わせであっても良い。
さらに、固定部７，８は、両端部２，３の端面２ａ，３ａ以外の位置に両端部２，３と別体的に形成されても良い。そして、可動部５，６同士の間隔と、固定部７，８同士の間隔は、いずれが広くても良い。つまり、中間位置Ｄにより近い位置の両端部２，３に、可動部５，６又は固定部７，８のいずれが配置されても良い。
また、可動部５，６と固定部７，８は、いずれも側面視で短冊状に形成されて、それぞれ互いに対向するように構成されても良い。この場合、可動部５，６と固定部７，８を収容する長尺孔を備える無端のガイド部材であって、固定部７，８と長尺孔の一端は互いに固定されるが、可動部５，６を長尺孔に沿って摺動可能とするガイド部材を備えることで、棒状体４の回動に伴い可動部５，６が両端部２，３に沿ってスライド可能に構成されても良い。
【産業上の利用可能性】
【００３４】
本発明は、開閉器等から引き出される縁線同士の離隔を確保するための縁線スペーサーとして利用可能である。
【符号の説明】
【００３５】
１…縁線スペーサー  ２，３…両端部  ２ａ，３ａ…端面  ４…棒状体  ５，６…可動部  ７，８…固定部  ９，１０…把持体  １１ａ，１２ａ…第１のネジ部  １１ｂ，１２ｂ…第２のネジ部  １３ａ，１３ｂ…貫通孔  １４，１５…第１の挟持部  １６，１７…第２の挟持部  １８，１９…連結部  １８ａ，１９ａ…側面  ２０，２１…水切りツバ  ２２…保持部  ２３ａ，２３ｂ…ピン  ２４，２５…押え片  ２６，２７…ストッパー  ２６ａ，２７ａ…貫通孔  ２６ｂ，２７ｂ…一端  ２６ｃ，２７ｃ…他端  ５０…開閉器  ５１ａ〜５１ｃ…縁線  ５２…電柱  ５３ａ〜５３ｃ…縁線  ５４…アーム  ５５ａ〜５５ｃ…高圧端子カバー
【図１】
0006569507.tif 000002
【図２】
0006569507.tif 000003
【図３】
0006569507.tif 000004
【図４】
0006569507.tif 000005
【図５】
0006569507.tif 000006
【図６】
0006569507.tif 000007